(57)【要約】【課題】  現在実用化されているシステムでは、各ユーザーが使用する端末装置は通常のパソコンであることが多く、システムの構築・維持管理には多額の費用がかかっており、企業等の大きな負担になっている。【解決手段】  本発明は、入力装置と表示装置と記憶装置とを持つ通常のコンピュータをホストコンピュータとし、入力装置と表示装置とを持ち記憶装置を持たない端末装置を複数接続したコンピュータシステムにおいて、各自の端末装置とホストコンピュータが同時進行で作業を継続でき、かつセキュリティやバックアップの体制を複合的に持つコンピュータシステムを提供する。  通常回線の通信システムを使うことで低コストなシステムが実現できる長距離間の一元管理・運営するところのセキュリティ用エコホストコンピュータシステムを実現する。【選択図】図１
2011008743.tif 000002
【特許請求の範囲】
【請求項１】
キーボードとディスプレイ・マウス等をもった端末装置で、使用しているユーザーの作業状況を同時進行でホストコンピュータのＣＰＵ・メモリーで一括的に確認ができるシステムを提供することのできる一つのホストコンピュータとＣＰＵ・メモリーがない端末装置を一元管理・運営するところのエコホストコンピュータシステム
【請求項２】
キーボードとディスプレイ・マウス等をもった端末装置で、使用しているユーザーの作業状況を同時進行でホストコンピュータのＣＰＵ・メモリーで定期的に自動的にチェックする一括的に確認ができるシステムを提供することのできる一つのホストコンピュータとＣＰＵ・メモリーがない端末装置を一元管理・運営するところのエコホストコンピュータシステム
【請求項３】
キーボードとディスプレイ・マウス等をもった端末装置で、使用しているユーザーの作業状況を同時進行でホストコンピュータのＣＰＵ・メモリー不定期かつ任意に自動的にチェックする一括的に確認ができるシステムを提供することのできる一つのホストコンピュータとＣＰＵ・メモリーがない端末装置を一元管理・運営するところのエコホストコンピュータシステム
【請求項４】
教育分野において指導者のホストコンピュータと受講者の端末装置とを一つのＣＰＵ・メモリーがあるホストコンピュータで連結し、一括的・定期的あるいは自動的・不定期かつ任意に一元管理・運営するところの教育用エコホストコンピュータシステム
【請求項５】
セキュリティ分野において監視者のホストコンピュータと被監視者端末装置とを一つのＣＰＵ・メモリーがあるホストコンピュータで連結し、一括的・定期的あるいは自動的・不定期かつ任意に一元管理・運営するところのセキュリティ用エコホストコンピュータシステム
【請求項６】
バックアップ分野においてホストコンピュータと端末装置とを一つのＣＰＵ・メモリーがあるホストコンピュータで連結し、一括的・定期的あるいは自動的・不定期かつ任意に一元管理・運営するところのセキュリティ用エコホストコンピュータシステム
【請求項７】
一つのホストコンピュータのファイルフォルダを共有して利用できる、ＣＰＵ・メモリーがなく基本的に表示画面とキーボード・マウスによって構成されるだけの複数端末をマルチ画面上で一括表示するとともに各自の端末の作業進捗度合いを数量管理できるエコホストコンピュータシステム
【請求項８】
一つのハードディスクではトラブルがあったときに全てのシステムにトラブルになるので少なくとももう一台のハードディスクにＯＳソフトから一貫してデータ保存でき、万一主たるハードディスクにトラブルがあっても他のハードディスがカバーして端末につなげることができる補完的なシステムを持った一元管理・運営するところのセキュリティ用エコホストコンピュータシステム
【請求項９】
通常回線の通信システムを使うことで低コストなシステムが実現できる長距離間の一元管理・運営するところのセキュリティ用エコホストコンピュータシステム
【請求項１０】
上記ＬＡＮシステムに対し、インターネットを使用して、遠く離れた地域まで国際間の同時進行サービスを提供できる一元管理・運営するところのセキュリティ用エコホストコンピュータシステム
【発明の詳細な説明】
【技術分野】
【０００１】  本発明は、コンピュータのネットワークシステムに関し、特に低コスト、高セキュリティを目的としたコンピュータシステムに関するものである。
【背景技術】
【０００２】  コンピュータの技術進歩、価格低下に伴って、企業ではパーソナルコンピュータ（パソコン）を個人個人に導入し業務効率化を図ってきたが、パソコンで作成したデータは操作ミスやパソコンの故障等によって消えてしまうこともある。そうなると、作成するために要した時間が無駄になるばかりでなく、復元そのものが困難になる場合もある。パソコンで作成したデータは企業の財産であり、企業にとって大きな損失である。
そのため作成したデータをパソコンとは別の機器に保存すること（バックアップ）が必要となるが、個人個人に行わせると時間もかかるし、忘れてしまうこともある。
そこで、１台のサーバーコンピュータに多数のパソコンを接続したシステムを組み、データ保存をサーバーで行う方式が導入されてきた。これによって、データのバックアップをサーバーだけで行うことができるので、バックアップ作業時間が大幅に削減されるとともに、専任の管理者を置くことによってバックアップ漏れも防ぐことができるようになった。【０００３】  しかし、パソコンの駆動・操作に必要なオペレーティングシステム（ＯＳ）やアプリケーションソフト（応用ソフト）は機能向上の観点から数年ごとに更新することが多く、その費用がシステム維持上の大きな問題の一つである。
また、パソコン本体も劣化対策や性能向上のため定期的な更新が必要であり、システム維持費用が増加している。
さらに、社外での使用頻度の増加に伴うパソコンの盗難や、不正行為によって、内部に保存されたデータが外部に漏れる問題が多発してきた。【０００４】  そこで、応用ソフトを１台のサーバーコンピュータのみに入れ多数のパソコンには必要なときにサーバーコンピュータからパソコンにダウンロードするとともに、パソコンからはデータ保存装置も撤去してデータの保存ができないようにする方式が増えてきている（シンクライアントなど）。
これによって、応用ソフトの維持管理費用の削減、パソコン単体の導入費用低減、データの外部漏洩防止ができるようになった。【０００５】  さらに、特許文献１のように、パソコンの駆動・操作に必要なＯＳもサーバーからダウンロードするようにしたシステムが提案されている。
これによって、ＯＳの保存機能も不要となりパソコンはキーボードと表示装置程度で構成することができるので、コストをさらに下げることが可能となる。【０００６】  また、上述したシステムの例としては、企業業務以外にも、特許文献２や特許文献３のように、複数の生徒用端末装置と教師用端末装置とをネットワークで接続し、生徒用端末装置の状態を教師用端末装置に表示させて、教師の指導を支援するシステムがあり、教育のレベルアップと効率向上に寄与するようになっている。特許文献３は特許文献２の改良に関するものである。
特許文献１  特表２００７−５２５７５６号公報
特許文献２  特許第２７８０６６３号
特許文献３  特開２００８−３３７３２号公報
【発明の開示】
【発明が解決しようとする課題】
【０００７】  現在実用化されているシステムでは、各ユーザーが使用する端末装置は通常のパソコンであることが多く、システムの構築・維持管理には多額の費用がかかっており、企業等の大きな負担になっている。
また、これらのシステムの応用例として上述した教育支援システムで見ると、パソコンに要求される応用ソフトの種類は極めて限られたものであることが多いとともに、多くの子供に教育支援システムの恩恵を与えるためには、システム構築・維持管理の費用は企業業務以上に安くすることが必要である。
【課題を解決するための手段】
【０００８】発明者は上記のような課題を解決するために研究を重ね、具体的に以下のような手段を見出したものである。【０００９】コンピュータ本体に、入力装置及び表示装置からなる複数の端末装置を接続し、前記入力装置からの指示によって前記入力装置からの指示によって、キーボードとディスプレイ・マウス等をもった端末装置で、使用しているユーザーの作業状況を同時進行でホストコンピュータのＣＰＵ・メモリーで一括的に確認ができるシステムを提供することのできる一つのホストコンピュータとＣＰＵ・メモリーがない端末装置を一元管理・運営することで、台数が少なくなることで、一元管理がしやすくなり、また物理的に台数が少なくなることで、１０台あれば５年で１０回壊れる可能性がある。さらに１台になるので、故障回数も少なくなるという部分で、管理・運用がしやすいため、管理・運用の簡素化を達成することができる。【００１０】キーボードとディスプレイ・マウス等をもった端末装置で、使用しているユーザーの作業状況を同時進行でホストコンピュータのＣＰＵ・メモリーで定期的に自動的にチェックする一括的に確認ができるシステムを提供することのできる一つのホストコンピュータとＣＰＵ・メモリーがない端末装置を一元管理・運営するところのエコホストコンピュータシステム【００１１】キーボードとディスプレイ・マウス等をもった端末装置で、使用しているユーザーの作業状況を同時進行でホストコンピュータのＣＰＵ・メモリーでランダム（不定期・任意）に自動的にチェックする一括的に確認ができるシステムを提供することのできる一つのホストコンピュータとＣＰＵ・メモリーがない端末装置を一元管理・運営するところのエコホストコンピュータシステム【００１２】教育分野において指導者のホストコンピュータと受講者の端末装置とを一つのＣＰＵ・メモリーがあるホストコンピュータで連結し、一括的・定期的に自動的にランダム（不定期・任意）に一元管理・運営するところの教育用エコホストコンピュータシステム【００１３】セキュリティ分野において監視者のホストコンピュータと被監視者端末装置とを一つのＣＰＵ・メモリーがあるホストコンピュータで連結し、一括的・定期的に自動的にランダム（不定期・任意）に一元管理・運営するところのセキュリティ用エコホストコンピュータシステム【００１４】バックアップ分野においてホストコンピュータと端末装置とを一つのＣＰＵ・メモリーがあるホストコンピュータで連結し、一括的・定期的に自動的にランダム（不定期・任意）に一元管理・運営するところのセキュリティ用エコホストコンピュータシステム【００１５】一つのホストコンピュータのファイルフォルダを共有して利用できる、ＣＰＵ・メモリーがなく基本的に表示画面とキーボード・マウスによって構成されるだけの複数端末をマルチ画面上で一括表示するとともに各自の端末の作業進捗度合いを数量管理できるエコホストコンピュータシステム【００１６】一つのハードディスクではトラブルがあったときに全てのシステムにトラブルとなる可能性があるので、少なくとももう一台のハードディスクにＯＳソフトから一貫してデータ保存できる。万一主たるハードディスクにトラブルがあっても他のハードディスがカバーして端末につなげることができる補完的なシステムを持つことが可能となった。さらに端末自体が一つ一つハードディスクをもたないため、ＣＰＵもＭｅｍｏｒｙもハードディスクもない。さらに専用のＡＣ電源すら要らない部品になっているので、消費電力の削減になり、省スペースにもなる。【００１７】通常回線の通信システムを使うことで低コストなシステムが実現できる長距離間の一元管理・運営するところのセキュリティ用エコホストコンピュータシステム【００１８】上記ＬＡＮシステムに対し、インターネットを使用して、遠く離れた地域まで国際間の同時進行サービスを提供できる一元管理・運営するところのセキュリティ用エコホストコンピュータシステム
【発明の効果】
【００１９】コンピュータ本体に、入力装置及び表示装置からなる複数の端末装置を接続し、前記入力装置からの指示によって前記入力装置からの指示によって、キーボードとディスプレイ・マウス等をもった端末装置で、使用しているユーザーの作業状況を同時進行でホストコンピュータのＣＰＵ・メモリーで一括的に確認ができるシステムを提供することのできる一つのホストコンピュータとＣＰＵ・メモリーがない端末装置を一元管理・運営することで、台数が少なくなることで、一元管理がしやすくなり、また物理的に台数が少なくなるこで、１０台あれば５年で１０回壊れる可能性がある。さらに１台になるので、故障回数も少なくなるという部分で、管理・運用がしやすいため、管理・運用の簡素化を達成することができる。【００２０】キーボードとディスプレイ・マウス等をもった端末装置で、使用しているユーザーの作業状況を同時進行でホストコンピュータのＣＰＵ・メモリーで定期的に自動的にチェックする一括的に確認ができるシステムを提供することができる。【００２１】キーボードとディスプレイ・マウス等をもった端末装置で、使用しているユーザーの作業状況を同時進行でホストコンピュータのＣＰＵ・メモリーでランダム（不定期・任意）に自動的にチェックする一括的に確認ができるシステムを提供することができる。【００２２】教育分野において指導者のホストコンピュータと受講者の端末装置とを一つのＣＰＵ・メモリーがあるホストコンピュータで連結し、一括的・定期的に自動的にランダム（不定期・任意）に一元管理・運営できるようになる利点がある。【００２３】セキュリティ分野において監視者のホストコンピュータと被監視者端末装置とを一つのＣＰＵ・メモリーがあるホストコンピュータで連結し、一括的・定期的に自動的にランダム（不定期・任意）に一元管理・運営できる。【００２４】バックアップ分野においてホストコンピュータと端末装置とを一つのＣＰＵ・メモリーがあるホストコンピュータで連結し、一括的・定期的に自動的にランダム（不定期・任意）に一元管理・運営できる利点がある。【００２５】一つのホストコンピュータのファイルフォルダを共有して利用できる、ＣＰＵ・メモリーがなく基本的に表示画面とキーボード・マウスによって構成されるだけの複数端末をマルチ画面上で一括表示するとともに各自の端末の作業進捗度合いを数量管理することができる。【００２６】一つのハードディスクではトラブルがあったときに全てのシステムにトラブルとなる可能性があるので、少なくとももう一台のハードディスクにＯＳソフトから一貫してデータ保存できる。万一主たるハードディスクにトラブルがあっても他のハードディスがカバーして端末につなげることができる補完的なシステムを持つことが可能となった。さらに端末自体が一つ一つハードディスクをもたないため、ＣＰＵもＭｅｍｏｒｙもハードディスクもない。さらに専用のＡＣ電源すら要らない部品になっているので、消費電力の削減になり、省スペースにもなる。【００２７】通常回線の通信システムを使うことで低コストなシステムが実現できる長距離間で一元管理・運営することができるようになった。【００２８】上記ＬＡＮシステムに対し、インターネットを使用して、遠く離れた地域まで国際間の同時進行サービスを提供でき、かつ一つの大型のホストコンピュータを世界の端末から利用可能になるので、低開発国でも低コストでコンピュータを使用したり運用することができるのである。
【図面の簡単な説明】
【００２９】
【図１】は、本発明の複数の端末装置を有するコンピュータシステムの第１の実施の形態における構成例を示す図である。
【図２】は本発明のコンピュータシステムを連結したネットワークコンピュータシステムの第１の実施の形態における構成例を示す図である。
【図３】は本発明の内容を示したフローチャートである。
【符号の説明】
【００３０】１  コンピュータ本体
２、３．．．、ｘ  端末装置
１ａ  ハードディスク
１ｂ  サブハードディスク
３ａ、３ｂ、．．．．．．、３ｘ  入力装置
４ａ、４ｂ、．．．．．．、４ｘ  表示装置
５  信号伝達手段
【発明を実施するための最良の形態】
【００３１】  現在実用化されているシステムでは、各ユーザーが使用する端末装置は通常のパソコンであることが多く、システムの構築・維持管理には多額の費用がかかっており、企業等の大きな負担になっている。
また、これらのシステムの応用例として上述した教育支援システムで見ると、パソコンに要求される応用ソフトの種類は極めて限られたものであることが多いとともに、多くの子供に教育支援システムの恩恵を与える目的で、安いシステム構築・維持管理の費用は企業業務以上に安くすることを実現した。【００３２】図１にあるように１は、コンピュータ本体で、２、３．．．、ｘは、端末装置で、１ａはハードディスクで、１ｂはサブハードディスクで、３ａ、３ｂ、．．．．．．、３ｘは入力装置で、４ａ、４ｂ、．．．．．．、４ｘは表示装置で、５は信号伝達手段である。【００３３】コンピュータ本体１を中心に端末装置２、３．．．、ｘを連結させ、それら端末には入力装置３ａ、３ｂ，．．．、３ｘと表示装置４ａ、４ｂ、．．．．．．、４ｘを備え、信号伝達手段５により通信連結する。【００３４】図２は図１のシステムが連結された複合図である。【００３５】図１にあるように、コンピュータ本体１と、端末装置２、３．．．、ｘを連結し、ホストコンピュータの電源をＯＮにするとホストコンピュータより画面信号を端末に送信する。２、３．．．、ｘまでの各端末が画面信号を受信する。端末に接続されたキーボードとマウスの信号を、端末よりホストコンピュータへ送信する。ホストコンピュータが信号を受信する。これらの操作によりコンピュータ本体１の記憶装置ＣＰＵだけを介して２、３．．．、ｘの各端末はコンピュータ本体１のＯＳを２、３．．．、ｘの各端末が共有することで一括使用されかつ管理される。【００３６】１ａに入っているアプリケーションを２、３．．．、ｘの各端末がそれぞれ別個使用できる。２、３．．．、ｘの各端末の作業状況をコンピュータ本体１の表示装置４ａのマルチウィンドウ画面に作業進捗度合いを数量的に表示できる。ハードディスク１にトラブルがあった場合、サブハードディスク１ｂで保管できる。【００３７】図３は、本発明のコンピュータシステムを稼動させるとこのフローチャートである。
まずホストコンピュータと、共有設定せずともファイル・フォルダを共有して利用できる端末をセットし、図のスタート時から中央の矢印の線に沿って基本的な作業フローが実現する。まず、ホストコンピュータのスイッチをオンにするとその時点で複数のハードディスク、複数のバックアック、複数のセキュリティシステムが同時に作動し、さらに記憶装置を持たない端末を作動させるために分岐アダプターを稼動させると、各自の記憶装置を持たない端末からそれぞれのまったく別々のランダムな作業が同時進行で実行できる。【００３８】ホストコンピュータの記憶装置にあるオペレーションシステムや応用ソフトを各自の端末はあたかも記憶装置があるがごとく着用して使用できその進捗に併せた記憶もバックアップ、セキュリティなども複数の複合的システムとして一括管理できる。
作業のみならず教育システムにおいても各自の端末が行っている進捗度合いをホストコンピュータのマルチ画面で一括的・数量的に管理・運用できる。
【産業上の利用可能性】
【００３９】上記した本発明によって、従来個別のコンピュータをそれぞれに導入していたことに比べると主に１台のホストコンピュータとそのハードディスクを使用する複数の端末によって使用され、極めて低コスト、一元的に数量的進捗度合いを持ってホストコンピューターのモニター画面で管理・運営ができ、従来の一台のハードディスクで起こりがちであったトラブルを未然に防ぐことができるようになったのであるから、教育・セキュリティ・バックアップなど多くの利用分野に適応可能となり、産業上の利用可能性において優れた発明であるとともに技術的な進歩をもたらすものである。
【図１】
2011008743.tif 000003
【図２】
2011008743.tif 000004
【図３】
2011008743.tif 000005